(57)【要約】【課題】複数人をＩＤ判別し、複数人ともＩＤ判別結果ＯＫの時に通行できるようにした入退室管理システムにおいて、少数の通行人のみの入室を可能にする入退室管理システムを得ることを目的とする。【解決手段】ＩＤ判別手段（カードリーダ、指紋リーダ、網膜リーダ）を用いて複数人をＩＤ判別し複数人ともＩＤ判別結果ＯＫの時に通行できるようにした入退室管理システムにおいて、複数人のうち少数の通行者のみでの入室制御を可能にする制御手段を備える。【選択図】        図１１
2004197455.tif 000002
【特許請求の範囲】
【請求項１】
ＩＤ判別手段を用いて複数人をＩＤ判別し複数人ともＩＤ判別結果ＯＫの時に通行できるようにした入退室管理システムにおいて、
複数人のうち少数の通行者のみでの入室制御を可能にする制御手段を備えたことを特徴とする入退室管理システム。
【請求項２】
請求項１に記載の入退室管理システムにおいて、
前記制御手段は、少数の通行者のＩＤ判別だけで入室制御を行う
ことを特徴とする入退室管理システム。
【請求項３】
請求項１または２に記載の入退室管理システムにおいて、
通行制御される室内に複数のロック機構を備え、
前記制御手段は、複数人共入室する場合と少数の通行者だけで入室する場合とで前記ロック機構の開放制御数を変える
ことを特徴とする入退室管理システム。
【請求項４】
請求項３に記載の入退室管理システムにおいて、
前記制御手段は、前記複数のロック機構の電磁ロックを解除する
ことを特徴とする入退室管理システム。
【請求項５】
請求項１または２に記載の入退室管理システムにおいて、
前記制御手段は、退室時に１人１人のアンチパスバックチェックに基づいて退室制御を行う
ことを特徴とする入退室管理システム。
【請求項６】
請求項１または２に記載の入退室管理システムにおいて、
前記ＩＤ判別手段として、少なくとも２種類以上のＩＤ判別手段を使用し、
前記制御手段は、入室制御時にその使用が予め定まったＩＤ判別手段と異なるＩＤ判別手段を使用したときに報知する
ことを特徴とする入退室管理システム。
【請求項７】
請求項６に記載の入退室管理システムにおいて、
前記ＩＤ判別手段は、少数の通行者のＩＤ判別だけで入室制御を行うＩＤ判別手段として、バイオメトリクスＩＤ判別手段を用いる
ことを特徴とする入退室管理システム。
【発明の詳細な説明】
【０００１】
【発明の属する技術分野】
この発明は、ＩＤ判別手段を用いて複数人をＩＤ判別し複数人ともＩＤ判別結果ＯＫの時に通行できるようにした入退室管理システムに関する。
【０００２】
【従来の技術】
従来、ＩＤ判別手段としてカードリーダを用いてＩＤ判別すると共にアンチパスバックチェックを行う入退室管理システムが開示されている（例えば、特許文献１参照）。
【０００３】
また、１つの扉を通行するとき、複数人例えば２人照合しないと通行できない扉があった。そして、２人とも入室し、２人とも退室する方法が採られ、アンチパスバックチェックを行い、セキュリティレベルを向上していた。
【０００４】
【特許文献１】
特開平５−１９７８９０号公報
【０００５】
【発明が解決しようとする課題】
しかし、上述した方法では、２人照合し、１人のみ入室する場合にはアンチパスバックチェックができない。また、バイオメトリクスＩＤを使用するとき、１種類のバイオメトリクスＩＤでは通行制御が難しいという不具合があった。例えば指紋のない人または薄い人は指紋照合に適さないため、網膜またはアイリス照合する方がよい。
【０００６】
そこで、この発明は上述した点に鑑みてなされたもので、少数の通行人のみの入室を可能にする入退室管理システムを得ることを目的とする。
【０００７】
【課題を解決するための手段】
この発明に係る入退室管理システムは、ＩＤ判別手段を用いて複数人をＩＤ判別し複数人ともＩＤ判別結果ＯＫの時に通行できるようにした入退室管理システムにおいて、複数人のうち少数の通行者のみでの入室制御を可能にする制御手段を備えたことを特徴とする。
【０００８】
また、前記制御手段は、少数の通行者のＩＤ判別だけで入室制御を行うことを特徴とする。
【０００９】
また、通行制御される室内に複数のロック機構を備え、前記制御手段は、複数人共入室する場合と少数の通行者だけで入室する場合とで前記ロック機構の開放制御数を変えることを特徴とする。
【００１０】
また、前記制御手段は、前記複数のロック機構の電磁ロックを解除することを特徴とする。
【００１１】
また、前記制御手段は、退室時に１人１人のアンチパスバックチェックに基づいて退室制御を行うことを特徴とする。
【００１２】
また、前記ＩＤ判別手段として、少なくとも２種類以上のＩＤ判別手段を使用し、前記制御手段は、入室制御時にその使用が予め定まったＩＤ判別手段と異なるＩＤ判別手段を使用したときに報知することを特徴とする。
【００１３】
さらに、前記ＩＤ判別手段は、少数の通行者のＩＤ判別だけで入室制御を行うＩＤ判別手段として、バイオメトリクスＩＤ判別手段を用いることを特徴とする。
【００１４】
【発明の実施の形態】
図１は、この発明の実施の形態に係る入退室管理システムを示す全体構成図である。図１に示すように、通行制御する部屋は、前室Ｃｂと主室Ｃｍに分かれていて、主室Ｃｍ内に電磁ロック付きのラックＲＡとＲＢがある。外部と前室Ｃｂとの間は回転扉１を介して入退室が可能であり、前室Ｃｂと主室Ｃｍとの間は電気錠を有する扉２を介して入退室が可能になされている。
【００１５】
そして、回転扉１の通行は、外部から前室Ｃｂへの入室時はカードリーダＣＲ１によるＩＤ判別に基づいて制御され、前室かＣｂから外部への退室時はカードリーダＣＲ２によるＩＤ判別に基づいて制御され、アンチパスバックチェック（入室してない人しか退室できず、入室している人しか退出できない）が行われるようになされている。
【００１６】
また、扉２の通行は、前室Ｃｂから主室Ｃｍへの入室時はカードリーダＣＲ３とＣＲ４によるＩＤ判別及びバイオメトリクスＩＤ判別手段としての指紋リーダＢ１と網膜リーダＢ２による照合に基づいて制御され、主室Ｃｍから前室Ｃｂへの退室時はカードリーダＣＲ５によるＩＤ判別に基づいて制御され、アンチパスバックチェック（入室してない人しか退室できず、入室している人しか退出できない）が行われるようになされている。
【００１７】
図２は、カードリーダＣＲ１，ＣＲ２，ＣＲ５とＣＲ３，ＣＲ４の外観図を示す。図２に示すように、カードリーダＣＲ１，ＣＲ２，ＣＲ５には、リーダヘッドＣＲａと、ＩＤ判別結果ＯＫであるかまたはＮＧであるかを表示するためのＯＫ灯とＮＧ灯を有する表示灯ＣＲｂとが備えられている。また、カードリーダＣＲ３，ＣＲ４には、リーダヘッドＣＲａと、上述したのと同様なＩＤ判別結果を表示するための表示灯ＣＲｂと、入室時のＩＮ釦ＣＲｃとが備えられている。
【００１８】
図３は、カードリーダＣＲ１−ＣＲ５が備える構成の接続関係を示すブロック図である。図３に示すように、カードリーダＣＲ１−ＣＲ５は、上述したリーダヘッドＣＲａ、表示灯ＣＲｂ及びＩＮ釦ＣＲｃ（カードリーダＣＲ３，ＣＲ４のみ存在）の他に、処理プログラムに従って制御を実行するＣＰＵＣＲｄ、処理プログラム及び固定データを記憶したＲＯＭＣＲｅ、処理データ及び入力データを一時記憶するＲＡＭＣＲｆ、伝送コントローラＣＲｇを備えており、これら構成は、バスを介して接続されている。
【００１９】
図４は、指紋リーダＢ１の外観図を示す。図４に示すように、指紋リーダＢ１には、指紋リーダ部Ｂ１ａと、指紋照合結果ＯＫであるかまたはＮＧであるかを表示するための表示灯Ｂ１ｂとが備えられている。
【００２０】
図５は、指紋リーダＢ１が備える構成の接続関係を示すブロック図である。図５に示すように、指紋リーダＢ１は、上述した指紋リーダ部Ｂ１ａ、表示灯Ｂ１ｂの他に、処理プログラムに従って制御を実行するＣＰＵＢ１ｃ、処理プログラム及び固定データを記憶したＲＯＭＢ１ｄ、処理データ及び入力データを一時記憶するＲＡＭＢ１ｅ、伝送コントローラＢ１ｆを備えており、これら構成は、バスを介して接続されている。
【００２１】
図６は、網膜リーダＢ２の外観図を示す。図６に示すように、網膜リーダＢ２には、網膜リーダ部Ｂ２ａと、網膜照合結果ＯＫであるかまたはＮＧであるかを表示するための表示灯Ｂ２ｂとが備えられている。
【００２２】
図７は、網膜リーダＢ２が備える構成の接続関係を示すブロック図である。図７に示すように、網膜リーダＢ２は、上述した網膜リーダ部Ｂ２ａ、表示灯Ｂ２ｂの他に、処理プログラムに従って制御を実行するＣＰＵＢ２ｃ、処理プログラム及び固定データを記憶したＲＯＭＢ２ｄ、処理データ及び入力データを一時記憶するＲＡＭＢ２ｅ、伝送コントローラＢ２ｆを備えており、これら構成は、バスを介して接続されている。
【００２３】
さらに、図８は、この発明の実施の形態に係る入退室管理システムの各構成の接続図である。図８に示すように、カードリーダＣＲ１−ＣＲ５、指紋リーダＢ１、網膜リーダＢ２、回転扉１を回転制御する回転扉コントローラ３、扉２を開閉制御する扉コントローラ４、ラックのロック機構としてラックＲＡ用電磁ロック５及びラックＲＢ用電磁ロック６は、全体制御を行う制御部７の伝送コントローラ７ａにバスを介して接続され、制御部７により制御されるようになされている。制御部７には、伝送コントローラ７ａの他に、ＰＣ本体７ｂ、ＣＲＴ７ｃ、プリンタ７ｄ、キーボード７ｅが備えられている。
【００２４】
次に、上記構成に係る動作について、主に制御部７の制御動作を示す図９−図１３のフローチャートを参照して説明する。この実施の形態では、２人照合による入室管理を行うもので、回転扉１の通行は、アンチパスバックチェックを行うことで制御される。また、主室Ｃｍへの入室は、カードリーダＣＲ３，ＣＲ４の両方のＩＤ判別結果がＯＫで、ＩＮ釦ＣＲｃを押した人のみ指紋リーダＢ１によりＩＤ判別すると共に他の人は網膜リーダＢ２によりＩＤ判別し、その結果ＯＫ時にのみ入室できる。このときもアンチパスバックチェックを行う。また、２人入室時はラックＲＡ，ＲＢが解錠、１人入室時はラックＲＡのみ解錠される。さらに、主室Ｃｍからの退室は、カードリーダＣＲ３により１人ずつ退室ができる。勿論、アンチパスバックチェックも行う。
【００２５】
まず、回転扉１の通行について述べる。図９において、カードリーダＣＲ１により通行者のＩＤカードがリードされ（ステップＳ１）、ＩＤ番号がＯＫの場合は、当該通行者のアンチパスバックチェックのための前室フラグが立っているか否かを判定し（ステップＳ２−Ｓ３）、前室フラグが立っている場合には、回転扉１のロックが入る方向に１／４回転の間外されると共に、表示灯ＣＲｂのＯＫ灯が一次点灯する（ステップＳ４−Ｓ５）。前室フラグが立っていない場合には、表示灯ＣＲｂのＮＧ灯が一次点灯する（ステップＳ６）。
【００２６】
回転扉１が所定時間内に回転した場合には、カードリーダＣＲ１をリードした通行者の前室フラグを立てる（前室Ｃｂには行って外へ出ていないことを示す）（ステップＳ７−Ｓ８）。なお、ステップＳ１、Ｓ３、Ｓ７において、ＮＯと判定された場合には、ステップＳ９に移行し、カードリーダＣＲ２がリードされたか否かが判定され、リードされていない場合にはステップＳ１にリターンし、リードされた場合には図１０に示すステップＳ１０に移行する。
【００２７】
図１０に示すステップＳ１０において、ＩＤ番号がＯＫの場合は、当該通行者のアンチパスバックチェックのための前室フラグが立っているか否かを判定し（ステップＳ１１）、前室フラグが立っている場合には、回転扉１のロックが出る方向に１／４回転の間外されると共に、表示灯ＣＲｂのＯＫ灯が一次点灯する（ステップＳ１２−Ｓ１３）。前室フラグが立っていない場合には、表示灯ＣＲｂのＮＧ灯が一次点灯する（ステップＳ１４）。
【００２８】
回転扉１が所定時間内に回転した場合には、カードリーダＣＲ２をリードした通行者の前室フラグを立てなくする（前室Ｃｂから外へ出たことを示す）（ステップＳ１５−Ｓ１６）。なお、ステップＳ１０、Ｓ１１、Ｓ１５において、ＮＯと判定された場合及びステップＳ１６を経過した後は、図９に示すステップＳ１にリターンする。
【００２９】
次に、扉２の通行について述べる。まず、入室時について説明する。図１１において、カードリーダＣＲ３とＣＲ４により２人照合が行われ、両方の通行者のＩＤカードが所定時間内にリードされ（ステップＳ１７）、両者共にＩＤ番号がＯＫの場合は、表示灯ＣＲｂのＯＫ灯を一次点灯すると共に（ステップＳ１９）、カードリーダＣＲ３とＣＲ４の各ＩＮ釦ＣＲｃが所定時間内に押されたか否かを判定する（ステップＳ２０，Ｓ２１）。
【００３０】
ステップＳ２０においてカードリーダＣＲ３のＩＮ釦ＣＲｃが所定時間内に押されたと判定された場合、または、ステップＳ２１においてカードリーダＣＲ４のＩＮ釦ＣＲｃが所定時間内に押されてないと判定された場合には、次に所定時間内に指紋リーダＢ１による指紋照合がＯＫとなり、主室フラグが立っていないかを判定し（ステップＳ２２）、主室フラグが立っていない場合には表示灯ＣＲｂのＯＫ灯を一次点灯すると共に（ステップＳ２３）、扉２の電気錠を一次解錠し（ステップＳ２４）、図１２に示すステップＳ３１に移行する。すなわち、２人照合を行うが、１人のみのＩＤ判別で入室することができる。
【００３１】
他方、ステップＳ２０においてカードリーダＣＲ３のＩＮ釦ＣＲｃが所定時間内に押されてないと判定された場合、または、ステップＳ２１においてカードリーダＣＲ４のＩＮ釦ＣＲｃが所定時間内に押されたと判定された場合には、次に所定時間内に網膜リーダＢ２による網膜照合がＯＫとなり、主室フラグが立っていないかを判定し（ステップＳ２５）、主室フラグが立っていない場合には表示灯ＣＲｂのＯＫ灯を一次点灯すると共に（ステップＳ２６）、扉２の電気錠を一次解錠し（ステップＳ２７）、図１２に示すステップＳ３３に移行する。同様に、２人照合を行うが、１人のみのＩＤ判別で入室することができる。
【００３２】
なお、上記ステップＳ１８においてＮＯと判定された場合には表示灯ＣＲｂのＮＧ灯を一次点灯させてステップＳ１７にリターンする（ステップＳ２８）。また、ステップＳ２２においてＮＯと判定された場合には表示灯ＣＲｂのＮＧ灯を一次点灯させてステップＳ１７にリターンする（ステップＳ２９）。同様に、ステップＳ２５においてＮＯと判定された場合には表示灯ＣＲｂのＮＧ灯を一次点灯させてステップＳ１７にリターンする（ステップＳ３０）。また、指紋リーダＢ１と網膜リーダＢ２の使用を予め通行者によって定めておけば、使用の間違ったときに表示灯ＣＲｂのＮＧ灯の点灯方法を変え（例えば点滅）、またはアラーム等で報知することができ、侵入者も検知できる。
【００３３】
次に、図１２に示すステップＳ３１において、扉２が開いた場合にはその通行者の主室フラグを立てる（ステップＳ３２）。同様に、ステップＳ３３において、扉２が開いた場合にはその通行者の主室フラグを立てる（ステップＳ３４）。そして、両者の主室フラグが立っている場合には、ラックＲＡとＲＢの各電磁ロックを外すことができる（ステップＳ３５−Ｓ３６）。他方、両者の主室フラグが立っていない場合には、ラックＲＡの電磁ロックのみを外すことができる（ステップＳ３７）。ラックは手で閉めると自動的にロックがかかる。すなわち、２人とも入室する場合と１人のみ入室する場合とで電磁ロックの開放制御数が異なる。
【００３４】
次に、主室Ｒｍからの退室時について説明する。図１３において、カードリーダＣＲ５がリードされ（ステップＳ３８）、リードした通行者の主室フラグが立っているかを判定し（ステップＳ３９）、主室フラグが立っている場合には表示灯ＣＲｂのＯＫ灯を一次点灯させると共に扉２の電気錠を一時開錠する（ステップＳ４０−Ｓ４１）。そして、扉２が開いた場合には、リードした通行者の主室フラグを立てなくする（ステップＳ４２−Ｓ４３）。なお、ステップＳ３９においてＮＯと判定された場合は表示灯ＣＲｂのＮＧ灯を一次点灯させてステップＳ３８にリターンする（ステップＳ４４）。すなわち、退室時は１人１人のアンチパスバックチェックに基づいて退室制御が行われる。
【００３５】
以上のように、上記実施の形態によれば、２人照合するが、１人のみ入室することを釦入力で意志表示することにより１人のみによるアンチパスバックチェックができる。また、異なるバイオメトリクスＩＤを使用することによりセキュリティレベルが向上する。例えばＡさんは指紋、Ｂさんはアイリスと決めてあるのに、Ａさんのカードを使ってアイリス照合をやろうとするとその入室者は侵入者と見なすことができる。さらに、１人入室時は通常のラックのみさわれて、２人入室時はセキュリティレベルの高度なラックをさわることができるようにすることで、全体の省力化（１人入室を可能にした）とセキュリティレベルを向上することができる。
【００３６】
この発明は次の実施態様に従って実施できる。
（１）２人照合でなく、３人以上の複数人の照合でも同様に実施できる。
（２）ＩＤ判別手段として、カードリーダ以外にテンキーやバイオメトリクスＩＤを採用してもよい。
（３）ＩＮ釦をなくし、始めの個人ＩＤデータ登録時に入室しない／するのを設定してもよい。
（４）主室の入室時に照合する指紋リーダＢ１，網膜リーダＢ２をなくしてもよい。
（５）指紋リーダＢ１，網膜リーダＢ２は、その他アイリス、サイン、音声等どのようなバイオメトリクスＩＤを使っても同様にできる。
（６）１人入室時も２人の指紋リーダＢ１，網膜リーダＢ２を用いて照合するようにしてもよい。
（７）アンチパスバックチェックをしないようにしてもよい。
（８）ラックは別にＩＤ判別またはメカニカルキーまたは手動にて開放できるようにしてもよい。
（９）指紋リーダＢ１，網膜リーダＢ２で間違って操作したとき（Ａさんは指紋リーダＢ１であるにも拘わらず網膜リーダＢ２を操作したとき）にアラームを出してもよい。
【００３７】
【発明の効果】
以上のように、この発明によれば、複数人をＩＤ判別し複数人ともＩＤ判別結果ＯＫの時に通行できるようにした入退室管理システムにおいて、少数の通行人のみの入室を可能にする入退室管理システムを得ることができる。
【図面の簡単な説明】
【図１】この発明の実施の形態に係る入退室管理システムを示す全体構成図である。
【図２】図１のカードリーダＣＲ１，ＣＲ２，ＣＲ５とＣＲ３，ＣＲ４の外観図を示す。
【図３】図１のカードリーダＣＲ１−ＣＲ５が備える構成の接続関係を示すブロック図である。
【図４】図１の指紋リーダＢ１の外観図である。
【図５】図１の指紋リーダＢ１が備える構成の接続関係を示すブロック図である。
【図６】図１の網膜リーダＢ２の外観図である。
【図７】図１の網膜リーダＢ２が備える構成の接続関係を示すブロック図である。
【図８】この発明の実施の形態に係る入退室管理システムの各構成の接続図である。
【図９】図８の制御部７の制御動作を示すフローチャートである。
【図１０】図８の制御部７の制御動作を示すフローチャートである。
【図１１】図８の制御部７の制御動作を示すフローチャートである。
【図１２】図８の制御部７の制御動作を示すフローチャートである。
【図１３】図８の制御部７の制御動作を示すフローチャートである。
【符号の説明】
１  回転扉、２  扉、５，６  電磁ロック、７  制御部、ＣＲ１−ＣＲ５  カードリーダ、Ｂ１  指紋リーダ、Ｂ２  網膜リーダ、ＲＡ，ＲＢ  ラック。
【図１】
2004197455.tif 000003
【図２】
2004197455.tif 000004
【図３】
2004197455.tif 000005
【図４】
2004197455.tif 000006
【図５】
2004197455.tif 000007
【図６】
2004197455.tif 000008
【図７】
2004197455.tif 000009
【図８】
2004197455.tif 000010
【図９】
2004197455.tif 000011
【図１０】
2004197455.tif 000012
【図１１】
2004197455.tif 000013
【図１２】
2004197455.tif 000014
【図１３】
2004197455.tif 000015